(57)【要約】【課題】  局舎外にDSLAMを設置した場合であっても、ISDN加入者とxDSLサービスを受けている加入者との間の線路長の相違に基づくISDNとxDSL間の干渉を回避する。【解決手段】  ISDNとxDSLが併設された加入者電話システムにおいて、屋外に設置されたディジタル回線終端装置であるDSLAM３４と同じき線点Ｂ内に、ONC１４と0.4kHz抽出回路２０とを設ける。ONC１４はき線点Ｂ内のONU１２からISDNデータを分岐する0.4kHz抽出専用の加入者線路終端装置である。0.4kHz抽出回路２０は、ONCから供給されるISDNデータからISDN基準信号の0.4kHzクロックを抽出する。DSLAMは、0.4kHz抽出回路からの0.4kHzクロックに同期してxDSLデータをxDSL回線３５へ送信する。【効果】  き線点とISDN加入者宅Ｃ間の距離と、き線点とxDSL加入者宅Ｄ間の距離は、僅少であるので、位相差が僅少なクロックが供給される。【選択図】        図１
2005184389.tif 000002
【特許請求の範囲】
【請求項１】
ISDNとxDSLが併設された加入者電話システムにおいて、
屋外に設置されたディジタル回線終端装置と同じき線点内に、
同じき線点内のISDN終端装置からISDNデータを分岐する0.4kHz抽出専用の加入者線路終端装置と、
前記加入者線路終端装置から供給されるISDNデータからISDN基準信号の0.4kHzクロックを抽出する0.4kHz抽出回路とを設け、
前記ディジタル回線終端装置は、0.4kHz抽出回路からの0.4kHzクロックに同期してxDSLデータを送信することを特徴とする加入者電話システム。
【請求項２】
ISDNとxDSLが併設された加入者電話システムにおいて、
屋外に設置されたディジタル回線終端装置と同じき線点内に、
同じき線点内のISDN終端装置からISDNデータを分岐する0.4kHz抽出専用の加入者線路終端装置と、
前記加入者線路終端装置から供給されるISDNデータからISDN基準信号の0.4kHzクロックを抽出する第１の0.4kHz抽出回路とを設け、
前記ディジタル回線終端装置は、ATM-端局装置からの光回線から0.4kHzクロックを抽出する第２の0.4kHz抽出回路と、該クロックの位相を前記第１の0.4kHz抽出回路が抽出したクロックの位相に調整する位相調整回路とを備え、位相調整されたクロックに同期してxDSLデータを送信することを特徴とする加入者電話システム。
【発明の詳細な説明】
【技術分野】
【０００１】
本発明は、ISDNとxDSLが併設された加入者電話システムに関する。
【背景技術】
【０００２】
日本独自のADSLであるAnnexC方式では、ISDNとxDSLの間の干渉を回避するため、DBM(Dual Bit Map)方式でISDNと同期をとって伝送している。そのクロックの周波数は、日本のISDNが採用するTCM（Time Compression Multiplexing）の周波数0.4kHzである。しかし、ADSLの伝送距離は、ADSL回線における信号の減衰及び減衰により数キロメートル程度であるため、局内にクロック供給装置を設置したのでは、加入者宅まで信号が届かないという問題があった。
【０００３】
この問題を解消するため、従来、ISDNとAnnexC方式またはAnnexH方式のxDSLとを併用した通信システムにおいて、xDSL局装置の配置を局舎外に移すようにしている（例えば、特許文献１参照）。すなわち、ISDNとxDSLとを併用する局舎と加入者宅の間で、xDSL回線を用いてディジタル信号の送受を行うシステムにおいて、xDSL局装置を局外に設置し、xDSL局装置と局間に、ディジタル信号伝送用のデータ回線とISDN回線とを設け、xDSL局装置へのクロックの供給をISDN回線経由で行うようにしたのである。
【０００４】
なお、VDSL（高速データ転送ディジタル加入者線）システムにおける光学的VDSLノード（ONU）において、GPS等（SDHネットワークや地上伝送TV）における基準信号源を用いてONU同期をとって位相補正することにより、ONUとVDSL端末間の距離の差に基づく近端漏話をなくしたものが知られている（例えば、特許文献２参照）。
【０００５】
また、VDSLシステムにおいて、光回線から抽出した２kHzのクロック信号の位相情報およびこのクロック信号と同一周波数を再生するための識別情報をSTM-1フレームに組み込んで各インタフェース変換装置に転送し、インタフェース変換装置は、識別情報からクロック信号を再生すると共に位相情報でその位相を補正してクロックを同期させることにより、VDSLモデムを接続するメタリックケーブルにおける近端漏話を防止したものも知られている（例えば、特許文献３参照）。
【０００６】
【特許文献１】特開２００２―３５３９４８（第１頁ー第４頁、図２）
【特許文献２】特表２００２―５０６５９１（第１頁ー第８頁、図１）
【特許文献３】特開２００１―３４５７７３（第１頁ー第２頁、図１）
【発明の開示】
【発明が解決しようとする課題】
【０００７】
しかしながら、特許文献１記載のクロック供給方式では、き線点にDSLAM(Digital Subscriber Line Access Multiplexer)を局舎外設置した場合、局舎内のISDN局装置から局舎外に設置されたDSLAMに対して0.4kHzのクロックを供給しているが、局舎内のISDN局装置とISDN加入者との間の線路長と、局舎内のISDN局装置とxDSLサービスを受けている加入者との間の線路長が異なるため、局舎内のISDN装置から供給される0.4kHzと本来同期させるべき0.4kHzに位相差が生じてしまうという問題点がある。
【０００８】
そこで、本発明の目的は、局舎外にDSLAMを設置した場合であっても、ISDN加入者とxDSLサービスを受けている加入者との間の線路長の相違に基づくISDNとxDSL間の干渉を回避できる加入者電話システムを提供することにある。
【０００９】
なお、特許文献２記載の発明は、VDSLシステムにおいて、異なる光学的VDSLノードからケーブルの共通部分に到るルートの違いによる近端漏話をクロックの位相補正により低減するものであり、特許文献３記載の発明は、VDSLシステムにおいて、インタフェース変換装置とVDSLモデム間のメタリックケーブルにおける近端漏話を防止するたに使用するクロック信号の供給の簡略化を実現するものであって、それぞれ本願発明とは目的が相違する。
【００１０】
また、特許文献２記載の発明および特許文献３記載の発明は、いずれも既に存在する通信機器の間における近端漏話を防止するためのものであるが、本願発明は、それまでの問題を解消するためにxDSL局装置の配置を局舎外に移したことにより生じた新たな問題を解消するものである。
【課題を解決するための手段】
【００１１】
請求項１記載の発明は、ISDNとxDSLが併設された加入者電話システムにおいて、屋外に設置されたディジタル回線終端装置（図１の３４）と同じき線点（図１のＢ）内に、同じき線点内のISDN終端装置（図１の１２）からISDNデータを分岐する0.4kHz抽出専用の加入者線路終端装置（図１の１４）と、加入者線路終端装置から供給されるISDNデータからISDN基準信号の0.4kHzクロックを抽出する0.4kHz抽出回路（図１の２０）とを設け、ディジタル回線終端装置は、0.4kHz抽出回路からの0.4kHzクロックに同期してxDSLデータを送信することを特徴とする加入者電話システムである。
【００１２】
本発明は、屋外設置されたDSLAMに0.4kHzのクロック供給するために、局舎内のISDN局装置から0.4kHzクロックを供給するのではなく、屋外設置されたDSLAMと同じき線点にあるONU内の0.4kHz抽出用のOCUから0.4kHz抽出回路を使用し、0.4kHzを抽出する。そして、屋外設置されたDSLAMは、0.4kHz抽出回路からの0.4kHzクロックに同期してxDSLデータを送信するものである。
【００１３】
請求項２記載の発明は、ISDNとxDSLが併設された加入者電話システムにおいて、屋外に設置されたディジタル回線終端装置（図２の34-1）と同じき線点内に、同じき線点内のISDN終端装置（図２の１２）からISDNデータを分岐する0.4kHz抽出専用の加入者線路終端装置（図２の１４）と、加入者線路終端装置から供給されるISDNデータからISDN基準信号の0.4kHzクロックを抽出する第１の0.4kHz抽出回路（図２の２０）とを設け、ディジタル回線終端装置は、ATM-端局装置（図２の３０）からの光回線（図２の３１）から0.4kHzクロックを抽出する第２の0.4kHz抽出回路（図２の３２）と、該クロックの位相を第１の0.4kHz抽出回路が抽出したクロックの位相に調整する調整位相調整回路（図２の３３）とを備え、位相調整されたクロックに同期してxDSLデータを送信することを特徴とする加入者電話システム。
【００１４】
本発明は、屋外設置されたDSLAMに0.4kHzのクロック供給するために、局舎内のISDN局装置から0.4kHzクロックを供給するのではなく、屋外設置されたDSLAMと同じき線点にあるONU内の0.4kHz抽出用のOCUから0.4kHz抽出回路を使用し、0.4kHzを抽出する。そして、屋外設置されたDSLAMに、位相調整回路を持たせ、0.4kHz抽出用のOCUから抽出回路を使用して抽出した0.4kHzのクロックと、屋外設置されたDSLAMが持つ0.4kHzのクロック位相を屋外に設置されたDSLAMが持つ位相調整回路により調整するという機能を追加したものである。
【発明の効果】
【００１５】
本発明の第１の効果は、局舎外にDSLAMを設置した場合であっても、ISDN加入者とxDSLサービスを受けている加入者との間の線路長の相違に基づくISDNとxDSL間の干渉を回避できるということである。
【００１６】
その理由は、き線点に屋外設置されたDSLAMにおいて同じクロックまたは位相調整された0.4kHzのクロックをISDN加入者宅とxDSL加入者宅へ供給するような構成としたためである。
【００１７】
本発明の第２の効果は、局舎外にDSLAMを設置したときに、AnnexC方式、AnnexH方式のxDSLに必須であるISDNの基準クロックである0.4kHzを容易に抽出することができるということである。
【００１８】
その理由は、局舎外にDSLAMを設置したときに、局舎内に設置されたISDN局装置から局舎外に設置されたDSLAMまでISDN回線を敷設する必要が無く、同じき線点内にある0.4kHzクロック抽出専用のOCUと0.4kHz抽出回路を使用することで、AnnexC方式、AnnexＨ方式のxDSLに必須であるISDNの基準クロックである0.4kHzを容易に抽出することができるからである。
【発明を実施するための最良の形態】
【００１９】
本発明の加入者電話システムは、ISDNとxDSLが併設された加入者電話システムにおいて、屋外に設置されたディジタル回線終端装置と同じき線点内に、同じき線点内のISDN終端装置からISDNデータを分岐する0.4kHz抽出専用の加入者線路終端装置と、加入者線路終端装置から供給されるISDNデータからISDN基準信号の0.4kHzクロックを抽出する0.4kHz抽出回路とを設け、ディジタル回線終端装置は、0.4kHz抽出回路からの0.4kHzクロックに同期してxDSLデータを送信するものである。
【実施例１】
【００２０】
次に、本発明の加入者電話システムの実施例について図面を参照して説明する。
【００２１】
図１は本発明の加入者電話システムの一実施例を示しており、局舎Ａと、き線点Ｂの間は光回線１１，３１、き線点ＢとISDN加入者宅ＣはISDN回線１５、き線点ＢとxDSL加入者宅ＤはxDSL回線３５で接続されている。ISDN回線１５上のISDNデータは0.4kHzのクロックに同期して送信される。
【００２２】
ISDN側の光回線１１は、局舎Ａでは終端装置（OSUと記す）１０、き線点ＢではISDN終端装置（ONU（Optical Network Unit）と記す）１２で終端されている。そして、ONU１２は加入者線終端装置（OCU（Office Channel Unit）と記す）１３を介してISDN回線１５により、xDSL加入者宅Ｄの終端装置（DSU（Digital Service Unit）と記す）１６と結ばれ、DSU１６はTA（Terminal Adapter）１７を介してPC１８が接続されている。PC１８はインターネット接続のために使用され得る。これにより、ISDN加入者宅ＣにおいてISDNを使用したインターネットサービスを受けることができる。
【００２３】
一方、xDSL側の光回線３１は、局舎ＡではATM-端局装置３０、き線点ＢではADSL回線終端装置であるDSLAM３４で終端されている。そして、DSLAM３４はxDSL回線３５により、加入者宅Ｄにおけるデータ／音声の分離器であるPOTS SPLITTER３６と結ばれている。POTS SPLITTER３６は、モデム等のCPE３７を介してPC３８、および直接に電話機３９と接続されている。
【００２４】
xDSL加入者宅ＤにおいてPC３８を使用してxDSLを使用したインターネットサービスを受けるとき、このように、xDSL局装置（ここでは、ADSL回線終端装置であるDSLAM３４）の配置を局外に移すことで、xDSL回線３５における信号の雑音および減衰による伝送距離の制限を無くすることができる。ところが、ISDN加入者宅Ｃにおいて実施されているISDNサービスにより干渉を受け、xDSLを使用したインターネットサービスを受けようとしているxDSL加入者宅Ｄは大きな影響を受けてしまう。
【００２５】
そこで、xDSL加入者宅ＤにおけるISDNの干渉を防ぐために、き線点Ｂ内にあるOCU１４から0.4kHz抽出回路２０により0.4kHzを抽出し、クロック供給線２１を介して、き線点ＢにあるDSLAM３４に供給する。DSLAM３４は、このクロックに同期してxDSLデータをxDSL回線３５に送信する。き線点ＢとISDN加入者宅Ｃ間の距離と、き線点ＢとxDSL加入者宅Ｄ間の距離は、少ないのでISDN加入者宅Ｃで受信するISDNと、xDSL加入者宅Ｄで受信するxDSLデータの位相差は僅少となる。これにより、xDSL加入者宅Dにおいて、ISDN加入者宅CのISDNの干渉を回避することができる。
【実施例２】
【００２６】
図２は本発明の加入者電話システムの他の実施例を示している。この実施例は、図１に示した実施例におけるDSLAM３４をDSLAM34-1と入れ換えたものであり、その他の構成は図１と異なるところがない。
【００２７】
DSLAM34-1は、0.4kHz抽出回路３２および位相調整回路３３を備える。0.4kHz抽出回路３２は光回線３１から0.4kHzのクロックを抽出する。位相調整回路３３は、このクロックの位相を0.4kHz抽出回路２０からのクロックとの位相に調整して、そのクロックに同期してxDSLデータをxDSL回線３５に送信する。これにより、図１の実施例によるのと同様に、xDSL加入者宅Ｄにおいて、ISDN加入者宅ＣのISDNの干渉を回避することができる。
【図面の簡単な説明】
【００２８】
【図１】本発明の加入者電話システムの一実施例を示すブロック図
【図２】本発明の加入者電話システムの他の実施例を示すブロック図
【符号の説明】
【００２９】
１０        OSU
１１，３１  光回線
１２        ONU
１３，１４  OCU
１５        ISDN回線
１６        DSU
１７        TA
１８，３８  PC
２０，３２  0.4kHz抽出回路
２１        クロック供給線
３０        ATM-端局装置
３３        位相調整回路
３４,34-1   DSLAM
３５        xDSL回線
３６        POTS SPLITTER
３７        CPE
３９        電話機
【図１】
2005184389.tif 000003
【図２】
2005184389.tif 000004